(57)【要約】      （修正有）【課題】複合構造物の健全性を監視するシステム及び方法を提供する。【解決手段】複合構造物１０は、複合材料及び複合材料内に配置された光ファイバー１６を含む。光ファイバー１６は、光ファイバー１６の非線形光学特性を高める複数の量子ドット１８を含む。量子ドット１８はコア内、金属被覆内、及び／又は光ファイバー１６の表面上に配置することができる。光ファイバー１６は、信号の伝播を支援し、複合材料内の欠陥を検出して反応するように構成されている。量子ドット１８は、複合材料内の欠陥に応じて、二次効果などの非線形効果を引き起こす。量子ドット１８によってもたらされる非線形効果を含む信号の検出及び解析に基づいて、複合材料内の欠陥が検出されうる。【選択図】図１
2014052368.tif 000002
【特許請求の範囲】
【請求項１】
複合構造物を監視するシステムであって、該システムは
前記複合構造物内の光ファイバーであって、複数の量子ドットを含む光ファイバーと、
前記光ファイバーに対してその長さ方向に伝播する信号を供給するように前記光ファイバーに結合された信号源と、
前記光ファイバーから抜け出る信号を検出するように前記光ファイバーに結合された検出器と
を含む、システム。
【請求項２】
前記光ファイバーはコア及び該コアを取り囲む金属被覆を含み、該コアは前記複数の量子ドットを含む、請求項１に記載のシステム。
【請求項３】
前記光ファイバーはコア及び該コアを取り囲む金属被覆を含み、該金属被覆は前記複数の量子ドットを含む、請求項１または２に記載の方法。
【請求項４】
前記複数の量子ドットは前記光ファイバーの表面上に配置されている、請求項１〜３のいずれか一項に記載のシステム。
【請求項５】
前記複数の量子ドットは前記複合材料の異常に応じて二次効果を引き起こす、請求項１〜４のいずれか一項に記載のシステム。
【請求項６】
前記光ファイバーは、ブラッグ格子あるいは一又は複数の部分反射鏡を有するファブリペローエタロンのうちの少なくとも１つをさらに含む、請求項１〜５のいずれか一項に記載のシステム。
【請求項７】
前記信号源が前記光ファイバーの第１端に隣接するように配置された状態で、前記光ファイバーが対向する第１端と第２端との間に延伸し、前記システムは、前記信号を前記光ファイバーを通って第２端から第１端に向かって反射するように前記光ファイバーの第２端に配置された反射鏡をさらに含み、前記検出器は、前記光ファイバーを通る前記信号の反射後に前記光ファイバーの第１端によって放出される信号に応答する、請求項１〜６のいずれか一項に記載のシステム。
【請求項８】
複合構造物を監視する方法であって、該方法は、
前記複合構造物内に光ファイバーを埋め込むことであって、該光ファイバーが複数の量子ドットを含むことと
前記光ファイバーに対してその長さ方向に伝播する信号を供給することと、
前記光ファイバーから抜け出る信号を検出することと
を含む、方法。
【請求項９】
前記光ファイバーはコア及び該コアを取り囲む金属被覆を含み、前記コアは前記複数の量子ドットを含む、請求項８に記載の方法。
【請求項１０】
前記光ファイバーはコア及び該コアを取り囲む金属被覆を含み、該金属被覆は前記複数の量子ドットを含む、請求項８または９に記載の方法。
【請求項１１】
前記複数の量子ドットは前記光ファイバーの表面上に配置されている、請求項８〜１０のいずれか一項に記載の方法。
【請求項１２】
前記複合材料の異常に応じて前記複数の量子ドットによって非線形効果を引き起こすことをさらに含む、請求項８〜１１のいずれか一項に記載の方法。
【請求項１３】
非線形効果を引き起こすことは、前記複合材料の前記異常に応じて二次効果を引き起こすことを含む、請求項１２に記載の方法。
【請求項１４】
内部に埋め込まれた光ファイバーを有する複合構造物を監視する方法であって、該光ファイバーは複数の量子ドットを含み、該方法は、
前記光ファイバーに対してその長さ方向に伝播する信号を供給することと、
前記光ファイバーから抜け出る信号を検出することと
を含む、方法。
【請求項１５】
前記光ファイバーはコア及び該コアを取り囲む金属被覆を含み、前記コアは前記複数の量子ドットを含む、請求項１４に記載の方法。
【発明の詳細な説明】
【技術分野】
【０００１】
関連出願の相互参照
本願は、２０１１年８月２３日に出願された同時係属中の米国特許出願第１３／２１５，９６９号の一部継続出願であり、その全体は参照により本明細書に組み込まれる。
【背景技術】
【０００２】
本発明の実施形態は概して、複合構造物に関し、より詳しくは、複合構造物の健全性を監視するための埋め込み検出システムを有する複合構造物に関する。
【０００３】
複合構造物は、２つ以上のコンポーネントを多くの場合、付与された順に構成した構造物で、多種多様なアプリケーションで利用される。例えば、航空機、宇宙船などの飛行体は、複合構造物によって提供される高い強度重量比によって得られる利点を活かすために、複合構造物を利用することがある。複合構造物を含みうるその他のアプリケーションには、自動車、船舶、自転車などのその他の形式の輸送手段に加えて、ビルディング、橋などの多種多様なその他の構造物が含まれる。複合構造物はまた、使用する材料、構造物自体、又は構造物を製造するために用いられるプロセスを適切に修正することで、熱的、電気的、音響学的、又は機械的な特性の変更を含む付加的な機能によって、製造及び使用することができる。
【０００４】
複合構造物は、樹脂又はポリマー、ガラス、又はセメント等のその他の概ね連続的な媒体の中に分布している複数の要素に対して所定の順序を付与するように設計された、種々の方法で製造することができる。典型的には、複合構造物は、樹脂マトリクスに埋め込まれた、ガラス繊維又は炭素繊維、金属化炭素繊維、金属シート又はポリマーシート、炭素ベール又はポリマーベール、含浸済み複合シート、繊維織布シート、不規則繊維マット又は規則繊維マット、金属メッシュ又はポリマーメッシュなどの複数の構造繊維を含む。樹脂マトリクスは、多数の熱可塑性又は熱硬化性ポリマーの組合せ、接着剤又は他の結合剤、又はセメントのうちの任意の一つであってもよい。複数の複合プライを交互に配置すること、又は複数の複合トウを隣り合うように配置することによって、所望の形状を有するように、あるいは所定の２次元（２Ｄ）又は３次元（３Ｄ）構造に織り込まれるような方法で、複合構造物が構築されると、一又は複数の処理ステップで、複合構造物は硬化、溶解、又は結合することができる。
【０００５】
複合構造物が多くの利点を提供する一方で、複合構造物は、複合プライ間の剥離、複合プライ間の波打ち、又は複合材料内に渦を発生させるように、複合トウが上部で少なくとも部分的に反り返るマーセリング、などの様々な異常を有することがある。このような異常の一部は複合材料の目視検査で検出可能である一方で、複合材料の目視検査では検出されないような多数の異常が複合材料の内部に存在することがある。そのため、複合材料の内部を検査するため、例えば、Ｘ線、超音波信号などを利用する様々な検査技術が開発されてきた。これらの検査技術は層間剥離などの多数の異常を検出できるが、複合構造物の樹脂内の構造繊維の配向不整又は誤配置によって生じる他の異常は、検出の観点からはより難しい課題になることがある。
【０００６】
これに関連して、複合材料内の複数の構造繊維又は他の要素は概して、少なくとも部分的には、構造繊維又は他の要素の方向性に応じて、複合構造物の物理特性によって所定の方向へ延びる。しかしながら、一部の例では、複合材料内の構造繊維又は他の要素は、複合材料の物理特性が変化する原因ともなる、種々の意図していない方向又は配置を呈することがある。例えば、樹脂が豊富な領域の近傍まで延びる構造繊維又は他の含まれる要素は、樹脂が豊富な領域に向かって又はその中へ、移行又は移動することがある。構造繊維の意図していない配向又は配置は、重力、静水圧、化学作用、煮沸、又は機械的作用の結果として生ずることがある。構造繊維又は他の要素の配向又は配置の偏りは複合構造物の物理特性に影響を及ぼすため、必要であれば、適切な修復を行える確実な方法で、構造繊維の他の欠陥を検出することに加えて、構造繊維又は他の要素の配向又は配置におけるこのような偏りも検出することが望ましい。
【発明の概要】
【０００７】
本発明の一実施形態にしたがって、埋め込み検出システムを有する複合構造物が提供されている。その際、埋め込み検出システムは、光ファイバーの非線形光学特性を高める、複数の量子ドットを有する光ファイバーを含みうる。そのため、複合構造物内の欠陥あるいはその他の現在又は過去の変化あるいは状態（以下、「欠陥」と総称する）によって、量子ドットは容易に認識可能になり、それによって複合構造物内の欠陥に対して確実な指標を提供する非線形効果を発揮することができる。複合構造物の健全性を監視するためのシステム及び方法はまた、本発明の実施形態によって提供される。これ関連して、複合構造物の健全性は、硬化度などの化学的状態、歪み場などの機械的状態、温度又は水分含量などの環境、接着剥離、層間剥離などの傷又は空隙の存在、熱又は電気特性、又はイオン密度、構造物の目的を果たす能力に影響を及ぼしうる任意の状態を含む。
【０００８】
一つの実施形態では、光ファイバーの非線形光学特性を高めるための複数の量子ドットを含む光ファイバーを複合材料内に配置した、樹脂及び樹脂内に埋め込まれた複数の構造要素を有する複合材料を含む、複合構造物の健全性を監視するシステムが提供される。光ファイバーがコア及びコアを取り囲む金属被覆を含む実施形態では、コアを経由して伝播する信号を増幅し、及び／又は光ファイバーの感度を高めるように、コアは複数の量子ドットを含みうる。追加的に、又は代替的に、光ファイバーの金属被覆は、ファイバーのエバネッセント波を介して周囲の樹脂との相互作用を強化するため、複数の量子ドットを含みうる。しかもさらに、複数の量子ドットは、局所歪み場、材料及びエバネッセント波との相互作用を強化するため、光ファイバーの表面に沈着させることもできる。この実施形態のシステムはまた、光ファイバーに対してその長さ方向に沿って伝播する信号を供給するように構成された信号源を含む。複数の量子ドットは、複合材料内の欠陥に応じて、二次効果などの非線形効果、例えば、第二高調波を発生させる。この実施形態のシステムはまた、光ファイバーを経由する伝播を伴う非線形効果を含む信号を検出するように構成された検出器を含む。非線形効果は容易に特定可能であるため、この実施形態のシステムは、検査又は修復をさらに促進するように、複合材料内の欠陥を確実に検出することができる。例えば、ファイバートウ又は複合層の経路内での偏りなどの欠陥は、幾つかの実施形態では、このような欠陥の位置と共に検出可能である。
【０００９】
一実施形態の検出器は、信号の反射を伴う信号を検出するように構成されている。例えば、光ファイバーは、ブラッグ格子又は信号の少なくとも一部の反射を引き起こす一又は複数の部分反射鏡を含みうる。光ファイバーの第１端の近傍に信号源が配置された状態で、光ファイバーが第１端と第２端との間に延びる別の実施形態では、システムは第２端から第１端に向かって光ファイバー内を通る信号を反射するように、光ファイバーの第２端に配置された反射鏡を含んでいてもよい。この実施形態では、検出器は、内部を通る信号の反射を伴う光ファイバーの第１端によって放出される信号に反応する。
【００１０】
別の実施形態では、埋め込み検出システムを有する複合構造物が提供される。その際、複合構造物は、樹脂及び樹脂に埋め込まれた複数の構造要素を有する複合材料を含む。複合構造物はまた、複合材料内に配置された光ファイバーを含む。光ファイバーは、光ファイバーの非線形光学特性を高める複数の量子ドットを含む。光ファイバーがコア及びコアを取り囲む金属被覆を含む実施形態では、コアを経由して伝播する信号を増幅し、及び／又は光ファイバーの感度を高めるように、コアは複数の量子ドットを含みうる。追加的に、又は代替的に、光ファイバーの金属被覆は、ファイバーのエバネッセント波を介して周囲の樹脂との相互作用を強化するため、複数の量子ドットを含みうる。しかもさらに、複数の量子ドットは、局所歪み場、材料及びエバネッセント波との相互作用を強化するため、光ファイバーの表面に沈着させることもできる。この実施形態の光ファイバーは、その長さ方向に沿った信号の伝播を支援し、複合材料内の欠陥を検出するように構成されている。その際、複数の量子ドットは、複合材料内の欠陥に応じて、二次効果などの非線形効果、例えば、第二高調波の発生を引き起こす。その際、光ファイバーは、ブラッグ格子又は光信号の少なくとも一部の反射を引き起こす部分反射鏡を含みうる。
【００１１】
さらなる実施形態では、複合構造物の健全性を監視する方法が提供される。この方法は、光ファイバーの非線形光学特性を高めるための複数の量子ドットを光ファイバーが有する状態で、複合材料内に配置した光ファイバーに加えて、樹脂及び樹脂内に埋め込まれた複数の構造要素を有する複合材料を含む複合構造物を提供するステップを含む。光ファイバーがコア及びコアを取り囲む金属被覆を含む実施形態では、コアを経由して伝播する信号を増幅し、及び／又は光ファイバーの感度を高めるように、コアは複数の量子ドットを含みうる。追加的に、又は代替的に、光ファイバーの金属被覆は、ファイバーのエバネッセント波を介して周囲の樹脂との相互作用を強化するため、複数の量子ドットを含みうる。しかもさらに、複数の量子ドットは、局所歪み場、材料及びエバネッセント波との相互作用を強化するため、光ファイバーの表面に沈着させることもできる。この方法はまた、光ファイバーの第１端から反対側の第２端までのように、光ファイバーに対してその長さ方向に沿って伝播する信号を供給するステップを含む。一実施形態の方法は、複合材料内の欠陥に応じて複数の量子ドットにより、二次効果などの非線形効果、例えば、第二高調波の発生を引き起こす。この実施形態の方法はまた、信号を検出し、光ファイバーを経由する伝播を伴う非線形効果を含む信号を検出するように構成された検出器を含む。非線形効果は容易に特定可能であるため、この実施形態の方法は、検査又は修復をさらに促進するように、複合材料内の欠陥を確実に検出することができる。
【００１２】
信号源が光ファイバーの第１端の近傍に配置されている一実施形態では、この方法はまた、光ファイバーを通る信号を第２端から反射させて、最初に信号が発射された第１端に向けることを含みうる。この実施形態では、信号の検出は、内部を通る信号の反射を伴う光ファイバーの第１端によって放出される信号を検出することを含みうる。
【００１３】
代替的な実施形態は以下のように主張される。
Ａ．  内部に埋め込まれた光ファイバーを有する複合構造物を監視する方法であって、該光ファイバーは複数の量子ドットを含み、該方法は、
前記光ファイバーに対してその長さ方向に伝播する信号を供給することと、
前記光ファイバーから抜け出る信号を検出することと
を含む、方法。
Ｂ．  前記光ファイバーはコア及び該コアを取り囲む金属被覆を含み、前記コアは複数の量子ドットを含む、Ａに記載の方法。
Ｃ．  前記光ファイバーはコア及び該コアを取り囲む金属被覆を含み、前記金属被覆は複数の量子ドットを含む、Ａに記載の方法。
Ｄ．  前記複数の量子ドットは前記光ファイバーの表面上に配置されている、Ａに記載の方法。
Ｅ．  前記複合材料の異常に応じて前記複数の量子ドットによって非線形効果を引き起こすことをさらに含む、Ａに記載の方法。
Ｆ．  非線形効果を引き起こすことは、前記複合材料の前記異常に応じて二次効果を引き起こすことを含む、Ｅに記載の方法。
ＡＡ．  複合構造物の製造時に複合構造物を監視する方法であって、該方法は、
硬化していない状態にある前記複合構造物内に光ファイバーを埋め込むことであって、該光ファイバーは複数の量子ドットを含むことと、
前記複合構造物が硬化状態になるまで、前記光ファイバーに対してその長さ方向に伝播する信号を供給することと、
前記複合構造物が前記硬化状態になるまで、前記光ファイバーから抜け出る信号を検出することと
を含む、方法。
ＢＢ．  前記光ファイバーはコア及び該コアを取り囲む金属被覆を含み、前記コアは複数の量子ドットを含む、ＡＡに記載の方法。
ＣＣ．  前記光ファイバーはコア及び該コアを取り囲む金属被覆を含み、前記金属被覆は複数の量子ドットを含む、ＡＡに記載の方法。
ＤＤ．  前記複数の量子ドットは前記光ファイバーの表面上に配置されている、ＡＡに記載の方法。
ＥＥ．  前記複合材料の異常に応じて前記複数の量子ドットによって非線形効果を引き起こすことをさらに含む、ＡＡに記載の方法。
ＦＦ．  非線形効果を引き起こすことが、前記複合材料の前記異常に応じて二次効果を引き起こすことを含む、ＥＥに記載の方法。
【００１４】
本発明の実施形態に従って、さらなる検査又は修復が情報に基づく効率的な方法で実施されるように、複合材料中の欠陥を確実に特定するため、システム、方法及び複合構造物が提供される。しかしながら、上述の特徴、機能、及び利点は、単独で達成することができ、本発明の種々の実施形態は、他の実施形態において組み合わせることができ、これらの実施形態の詳細は、詳細な説明及び図面を参照して見ることができる。
【００１５】
上述では本発明の例示的実施形態を一般的な用語で説明したが、後述では添付図面を参照する。これらの図面は、必ずしも正確な縮尺で描かれていない。
【図面の簡単な説明】
【００１６】
【図１】図１は本発明の一実施形態による複合構造物の断面図で、複合材料及び複合材料内に配置される複数の量子ドットを有する光ファイバーを含む埋め込み検出システムを図解している。
【図２】図２は本発明の一実施形態による光ファイバーの断片的な斜視図である。
【図３】図３は本発明の一実施形態による複合構造物の健全性監視システムを概略的に表わした図である。
【図４】図４は本発明の一実施形態による方法のフロー図である。
【図５】図５は本発明の一実施形態による方法のフロー図である。
【図６】図６は本発明の一実施形態による方法のフロー図である。
【図７】図７は本発明の一実施形態による複合構造物の健全性監視の方法のフロー図である。
【発明を実施するための形態】
【００１７】
後述では、添付図面を参照して本発明の実施形態についてさらに詳細に説明する。添付図面にはすべての実施形態が示されているわけではない。実際、これらの実施形態は、多くの異なる形態で具現化することができ、本明細書に示された実施形態に限定されるものではない。むしろ、これらの実施形態は、本開示内容が、適用される法的要件を満足させるように提供されている。全体を通して、同様の参照番号は類似の要素を示している。
【００１８】
ここで図１を参照すると、本発明の一実施形態による埋め込み検出システムを有する複合構造物１０が図解されている。複合構造物１０は、航空機、宇宙船などの飛行体、自動車、トラック、トレーラー、自転車などの陸上輸送手段、海上船舶、ビルディング及び他の構造物を含む多様なアプリケーションで利用することができる。図１に示すように、複合構造物１０は、樹脂１４のマトリクス内に埋め込まれた複数の構造要素１２を有する複合材料を含む。複合材料は、ガラス繊維、炭素繊維などの構造繊維、グラフェンシート、カーボンベール、織布プリプレグ、ソリッドシートなどのその他の要素及び金属又はポリマーメッシュを含みうる。さらに、複合材料は、例えば、エポキシ樹脂、ポリエステル樹脂などを含む多数の種類の樹脂１４を含みうる。
【００１９】
例示的な実施形態では、複合材料は複数の複合プライを含み、各複合材料層は樹脂１４のマトリクスに埋め込まれた複数の構造要素１２を有する。複合プライは、図１に示すように交互に配置してもよい。しかしながら、複合材料は、例えば、交互に配置された複数の複合トウを含むその他の方法によって、又はシート、ベール、含浸済み布、金属又はポリマーメッシュなどを含めることで製造することもできる。複合材料製造時に、所望の形状になるように、所望の形状を有するマンドレル又はツール上に複合プライ又は複合トウ又は他の要素を積み上げることなどによって、複合材料を積層又は形成される。複数の複合プライ、複合トウなどの積層又は配置中、及び複合材料の硬化前などの複合材料製造時に、複数の量子ドット１８を含む一又は複数の光ファイバー１６は、図１に示したように複合材料内に埋め込むことなどによって、複合材料内に配置される。その際、光ファイバー１６は、複合材料の対向する両端などの端部を延長することによって、光ファイバーの少なくとも一端、及びより典型的には対向する両端にアクセスできるような方法で複合材料内に配置される。図１には単一の光ファイバー１６を示したが、複合構造物１０は、一実施形態では複合材料を通って互いに平行に延びる複数の光ファイバーを含んでいてもよい。
【００２０】
光ファイバー１６は、複合プライ、複合トウなどの間に配置することができる。複合材料内に光ファイバー１６が配置されると、複合材料樹脂が複合プライ又は複合トウが積層された形状を保持するように、複合材料は硬化されるか樹脂１４を凝固するように処理されることがある。このような複合材料の硬化又は他の凝固処理はまた、光ファイバーが複合材料内を通過して延伸するように、複合材料内に光ファイバー１６を固定するように働く。
【００２１】
複合材料内に配置される光ファイバー１６は複数の量子ドット１８を含む。図１の光ファイバー１６内に複数の量子ドットが表示されているが、これらの量子ドットは例示ではなく図解を目的としたもので、一般的なものよりも大きくなるように図解されている。一実施形態の光ファイバー１６は、光ファイバー内に分光学的強化機能を埋め込むことによって、又は光ファイバー内にを誘導することによって、量子ドット１８を含むように形成され、これによって光ファイバーの超分極率が高められる。以下に説明するように、量子ドットを含まない同等の光ファイバーと比較して、複数の量子ドット１８は光ファイバー１６の非線形光学特性を高める。
【００２２】
分光学的強化機能の埋め込み又は光ファイバー内の顕微鏡的構造変化の誘導に関しては、非線形光学の場合の分光学的強化は従来の線形光学の場合からは幾分異なることに留意すべきである。線形分光法では、光周波数が材料の励起に関連する値と一致する場合に、光はより容易に材料に吸収されるようになる。一旦光が吸収されると、光は他の材料パラメータに応じて、再放出されること又は材料内で熱に変化することがある。
【００２３】
非線形の場合には、光の入力周波数のすべて又は任意の部分が、本件の効果を分光学的に強化する材料の励起と必ずしも一致していなくてもよい。ある事例では例えば、２つの入力があり、そのうちの一方は材料パラメータと共鳴しているが、他方は共鳴していない。２つの入力の和周波数では、物質内で本質的に吸収がない場合でも、和周波数生成の効率が高められる。別の事例では、２つの入力のいずれも材料の励起と一致しないが、周波数の差分が材料の励起と一致する場合には、差周波数で光生成の効率が高められる。或いは、第二高調波生成の場合は共鳴しない入力信号を有することがあるが、第二高調波の周波数が材料の励起と一致する場合には、第二高調波生成のプロセスが強化される。
【００２４】
任意の光ファイバー又は量子ドット材料に関連する自然発生的な材料励起がある。同様に、光ファイバーに対する入力周波数は、非線形プロセスが一又は複数の材料励起と共鳴するように選択することができる。例えば、明確に区別される２つの周波数ｖ１及びｖ２がある場合には、ｖ１、又はｖ２、又はｖ１−ｖ２、又はｖ１＋ｖ２は一又は複数の材料パラメータと共鳴することができる。加えて、これらの組合せの幾つかが同時に共鳴することもありうる。第二高調波の場合には、ｖ１が共鳴している状態又は２ｖ１（ｖ１＋ｖ１）が共鳴している状態で、ｖ１での単一周波数入力がある。或いは、量子ドットを有する光ファイバーには、材料共鳴を引き起こす材料をドープすることができる。光ファイバーにドープすることができる材料は、限定しないが、既知のスペクトル特性を有する原子種又は分子種であってもよい。
【００２５】
或いは、材料励起を含まない顕微鏡的構造変化は、非線形信号強化をもたらすことができる。その際、物理的に歪んだファイバーは、局所分子結合の歪みを有する。その際、歪みを生ずる分子結合が超分極率の増大によって非線形応答を増加させることが確認されている。さらに、物理的に歪んだ材料は、超分極率の正味の累積的効果も高める、分子レベルで導入された正味の配向を有する。純粋な分光学的効果が利用できない場合でも、これら２つの効果の組合せにより、より大きな非線形光応答が導かれる。
【００２６】
光ファイバー１６は、光ファイバーの一又は複数の領域に量子ドット１８を含みうる。図２に示したように、例えば、一実施形態の光ファイバー１６は、コア内でコアを通って伝播する信号の大部分を閉じ込めるように、コアとは異なる屈折率を有する金属被覆１６ｂによって囲まれたコア１６ａを含みうる。例示的な実施形態では、量子ドット１８は光ファイバー１６のコア１６ａ内に含まれている。この実施形態では、光ファイバー１６のコア１６ａ内の量子ドット１８は光ファイバーのコアを通って伝播する信号を増幅し、複合材料内の欠陥に対して光ファイバーの感度を高めるように働きうる。代替的な実施形態では、光ファイバー１６はコア１６ａと金属被覆１６ｂとの境界に量子ドットを含みうる。さらに別の実施形態では、光ファイバー１６は金属被覆１６ｂ内に量子ドット１８を含み、それによってファイバーエバネッセント波を介して周囲に複合材料を有する光ファイバーを通って伝播する信号の相互作用を強化しうる。さらなる実施形態では、光ファイバー１６は、金属被覆の外表面など、光ファイバーの外表面１６ｃ上に複数の量子ドットを含みうる。この実施形態では、光ファイバー１６の外表面上に配置された複数の量子ドットは、エバネッセント波を介して複合材料の局所歪み場とより強く相互作用しうる。光ファイバー１６はこれらの領域の唯１つに、すなわち、光ファイバーのコア１６ａ、金属被覆１６ｂ又は外表面１６ｃのうちの唯１つに、複数の量子ドット１８を含みうる。代替的に、光ファイバー１６は、これらの領域の任意の２つに、例えば光ファイバーのコア１６ａ、金属被覆１６ｂ又は外表面１６ｃのうちの任意の２つに複数の量子ドット１８を含みうる。あるいは、幾つかの実施形態では、これら３つの領域のすべてに、すなわち、光ファイバーのコア、金属被覆、及び外表面のそれぞれに複数の量子ドットを含みうる。
【００２７】
別の実施形態では、光ファイバー１６は、量子ドットを含む光ファイバーのコアに対する本明細書での参照が、勾配屈折率ファイバーが量子ドットを含む実施形態を網羅することも意図するように、量子ドット１８を含む勾配屈折率ファイバーであってもよい。さらに別の実施形態では、赤外線（ＩＲ）又は他の信号の長さ方向への伝播に対応するため、光ファイバーは中空コアを有する光導体であってもよい。この実施形態では、光ファイバー１６は複数の量子ドット１８も含みうる。例えば、複数の量子ドットは、中空コアに面し、これを定義する光導体の内表面上に配置されうる。幾つかの光ファイバーの形式については既に述べているが、前述の実施例は、楕円コア光ファイバー、マルチホール光ファイバー、マルチコア光ファイバー、光ファイバー内部又は光ファイバー上に配置された近傍の量子ドットの環境に影響を及ぼす可能性のある他の無数の内部構造又は表面構造を有する光ファイバーなど、採用されうる他の形式の光ファイバーをすべて包括することを意図しているわけではない。
【００２８】
光ファイバー１６の形式及び／又は量子ドット１８を含む光ファイバーの領域にかかわらず、光ファイバーはその長さ方向に沿って比較的一様な方法で量子ドットを含みうる、又は光ファイバーの長さ方向に沿って一又は複数の離散的なセグメント内に量子ドットのみを含みうる。その際、光ファイバー１６は、量子ドットを含まない光ファイバーのセグメントと比較して、量子ドット１８を含む光ファイバーのセグメントに隣接する複合材料の欠陥に対してより感度が高くなりうる。
【００２９】
上述のように、及び図３にさらなる詳細を示したように、光ファイバー１６の少なくとも一端、及びより典型的には、光ファイバーの対向する第１端及び第２端の両方は、複合材料の端部を超えて又は少なくとも端部まで延長することによって、アクセス可能である。図３に示したように、本発明の一実施形態によるシステムは、複合材料及び埋め込み光ファイバー１６を含む複合構造物１０を含むだけでなく、光ファイバーの長さ方向に沿って伝播する信号を提供するため、光源などの信号源２０も含む。その際、信号源２０は、光ファイバー１６の第１端から光ファイバーの第２端に向かって、光ファイバーの長さ方向に沿って伝播する信号を導入するように構成しうる。光ファイバーに沿って伝播する種々の形式の信号を導入するため、システムは種々の形式の信号源２０を含みうるが、一実施形態の信号源は、光ファイバー内を通って伝播するレーザー信号を光ファイバー１６に対して供給するため、パルスレーザーなどのレーザーとなる。光ファイバー１６が光導体となっている別の実施形態では、信号源２０は光ファイバーの第１端にＩＲ信号を供給するためのＩＲ信号源であってもよい。
【００３０】
信号源２０は、光ファイバーの第１端など、光ファイバー１６に直接信号を供給しうる。しかしながら、図３に示したように、信号源で生成された信号は、光ファイバー１６に送達される前に調整することができる。例えば、システムは、光ファイバー１６に信号を送る際に、一又は複数の所定の周波数のみ又は所定の周波数範囲を有する信号が確実に波長選択デバイス内を通過するように、信号源２０によって生成された信号をフィルタ処理する波長フィルタなど、波長選択デバイス２２を含みうる。また、システムは、偏光デバイスを超えて一又は複数の偏光を有するデバイスまで伝播する信号を制限するため、クォーツなどの薄膜デバイス又は旋光性物質を含む波長板と組み合わせて、グランテーラープリズム、グラントンプソンプリズム、ウォラストンプリズム、薄膜偏光子などの偏光デバイス２４も含みうる。さらに、過剰な高エネルギーレベルを有する信号によって光ファイバーが損傷されないよう、光ファイバー１６に対して供給される信号によって運ばれるエネルギーを制限するため、システムは、減光フィルタ、カラーフィルタなどの強度フィルタ２６、ウェッジペア又は組プリズムなどの可変減衰デバイス、又は他の固定又は可変光減衰デバイスを含みうる。この実施形態で示されているシステムは、波長選択デバイス２２、偏光感受性デバイス２４、及び強度フィルタ２６をそれぞれ含むが、このシステムは他の実施形態ではこれらの要素の一又は任意個の組合せを含みうる。図３に示したように、このシステムは、信号を光ファイバーの開口数に合わせることなどによって、光ファイバー１６の第１端に信号の焦点を結ぶため、レンズなどの光学デバイス２８も含みうる。
【００３１】
また、図３に示したように、システムは、複合構造物が硬化されたままの状態にあるか、複合構造物の製造時に工程内監視を行うように、複合構造物１０の製造後など、光ファイバー１６を通って伝播した後、信号からもたらされる非線形効果を含む信号を受信するように構成された検出器３０を含む。一実施形態では、検出器３０は、信号源２０の信号が光ファイバーへ導入される第１端に対向する、光ファイバー１６の第２端から出る信号を受信するように配置することができる。しかしながら、例示的な実施形態では、システムは信号が光ファイバー１６の第１端で反射して戻るように構成されている。同様に、光ファイバー１６の第１端から抜け出たとき信号によって非線形効果がもたらされるだけでなく、この実施形態の検出器はこの信号を受信するように配置されうる。検出器３０が光ファイバー１６の第１端で反射した信号を受信するようにシステムを構築することによって、このシステムの大多数のコンポーネントは同一の場所に配置することが可能で、これによってコンポーネントの設計及び設置を潜在的に簡素化しうる。
【００３２】
図３に示したように、ビームスプリッタ３４は、反射信号を受信し、光ファイバー１６の第１端から抜け出る反射信号の向きを検出器３０の方向へ変えるように配置してもよい。ビームスプリッタ３４を含めることによって、検出器が補正されている、又は光ファイバーとの直線配列から外れている場合であっても、検出器３０は光ファイバー１６の第１端から抜け出る信号を受信することができ、これによって検出器によって遮断されることなく、信号源２０から光ファイバーの第１端への信号の導入を容易にすることができる。このシステムは、フォトダイオードなどの固体検出器を含む種々の形式の検出器を含むことができる。例えば、半導体フォトダイオードは概して、半導体材料によって吸収されうる所定の波長範囲を有する信号を検出するため、検出器は検出される信号の波長に基づいて選択される材料で構成してもよい。１つの実施例では、帰還信号及び関連する非線形効果を検出するため、シリコンフォトダイオードを利用することができる。反射信号よりも小さくなりうる非線形効果の検出を容易にするなど、感度を上げるため、検出器はアバランシェフォトダイオード（ＡＰＤ）を含んでいてもよい。
【００３３】
光ファイバー１６に沿って伝播する信号は、様々な方法で反射させることができる。例えば、システムは、光ファイバー１６の第２端に到達する信号を受け取り、信号及び関連する非線形効果が光ファイバーに戻されて、第２端から第１端に伝播して検出器３０で受信及び検出されるようにその信号を反射する鏡など、反射器３２を含んでいてもよい。追加的に、又は代替的に、光ファイバー１６はブラッグ格子３６、又は部分反射鏡などの他の形式の反射器、例えば、米国特許第５，６８２，２３７号に記載されているように、光ファイバーに沿って伝播する信号及び関連する非線形効果の少なくとも一部を反射するため、一又は複数の部分反射鏡を有し、光ファイバー内に形成されるファブリペローエタロンを含んでいてもよい。光ファイバー１６が部分反射鏡を含む事例の場合、量子ドット１８は一実施形態で鏡上又は鏡内部に配置されうる。
【００３４】
本発明の一実施形態では、複合材料内の欠陥は、信号強度及び／又は位相を変えることなどによって、光ファイバー１６に沿って伝播する信号に影響を及ぼすことがある。例えば、複合材料内の構造要素の変位、プライの波打ち、マーセリングなどによって、光ファイバー１６に曲がりを引き起こす、あるいは光ファイバーに応力又はひずみを及ぼす複合材料内の欠陥は、光ファイバーに沿って伝播する信号を変化させることがある。光ファイバー１６を通って伝播した後の信号の検出及び信号内の任意の変化の特定によって、複合材料内の欠陥は特定されうる。例えば、ファイバートウの経路又は複合プライの位置の偏りを含む欠陥は、本発明の一実施形態では光ファイバー１６から戻る信号に基づいて特定されうる。
【００３５】
複合材料内の幾つかの欠陥は、光ファイバー１６に沿って伝播する光信号の特性を変えるだけでなく、信号又は少なくとも信号の一部を反射させることがある。したがって、この実施形態の検出器３０は、光ファイバー１６の第１端に戻る信号を単に検出するだけでなく、反射信号が光ファイバーの第１端に戻る時刻も決定しうる。光ファイバー１６の第１端へ向けて信号が発射された時刻と反射信号が光ファイバーの第１端から抜け出た時刻との間の時間差、並びに信号が光ファイバー内を伝播する速度を決定することにより、検出器３０及び／又は関連する時間領域反射率計（ＴＤＲ）は、光ファイバーの長さに方向に沿って存在する欠陥の相対位置を決定することができ、これによって複合材料のさらなる検査及び／又は問題となっている箇所での複合材料の修復を指示することができる。
【００３６】
上述のように、光ファイバー１６は複数の量子ドット１８を含む。複数の量子ドット１８は、複合材料の欠陥に応じて非線形効果をもたらす。例えば、量子ドットは、第二高調波の発生などの二次効果を含む種々の非線形効果をもたらすことがある。その際、一実施形態の複数の量子ドット１８によってもたらされる第二高調波の発生などの二次効果は、複合要素１４の配列及び位置の変更によって引き起こされる欠陥など、複合材料内の欠陥の存在によって生ずる中心対称性の欠如によって強く影響されうる。追加的に、又は代替的に、量子ドットは第三高調波の発生などの三次効果を引き起こすことがある。量子ドットは本質的に非線形となる非線形光応答を有する。物理的な寸法が小さいため、又光学屈折率が周囲の媒体とは異なるため、近傍を伝播する任意の光信号の局所場増強がある。非線形効果は光の強度に依存するため、量子ドットによって引き起こされる局所場増強は非線形応答のサイズを増大させる。第三高調波の発生に加えて、その他の増強効果にはパラメトリック増幅、ラマン散乱及び四波混合が含まれることがある。一般的に、二次非線形効果は中心対称性のある媒体では許容されない。但し、量子ドットの存在と結び付けられた複合構造の歪み負荷は、材料の対称性を破壊し、第二高調波の発生、和周波数及び差周波数の発生などの二次効果を引き起こす。したがって、光ファイバー１６内部に複数の量子ドットを含めることによって、光ファイバーに予期しない曲がりを引き起こす欠陥など、複合材料の欠陥に応じてもたらされる非線形効果は、欠陥に対する確実かつ識別可能な指標として機能しうる。これらの非線形効果は光ファイバー１６を通って伝播し、検出器３０によって検出可能である。実際に、複数の量子ドットによってもたらされた非線形効果は、検出器３０によって容易に検出できるほど十分に大きくなることがあり、これによって複合材料内の欠陥に対する確実な指標として機能しうる。さらに、特に信号雑音比（ＳＮＲ）が比較的低い事例では一次信号の検出及び評価を損なう可能性のある雑音によって、非線形効果が悪影響をうける可能性が少ないため、検出器３０は非線形効果を容易に特定することが可能である。
【００３７】
本発明の例示的な実施形態により、種々の方法が提供されうる。図４のブロック４０に示したように、複数の量子ドット１８を含む光ファイバー１６は複合構造物１０内に埋め込むことができる。光ファイバー１６が複合構造物１０内に埋め込まれると、光ファイバーに対してその長さ方向へ伝搬する信号を提供することができる。ブロック４２を参照。光ファイバー１６を抜ける信号は次に検出することができる。ブロック４４を参照。同様に、図５は長さ方向への伝播用の複合構成物１０内に埋め込まれる光ファイバー１６に対して信号が提供される方法を示している。ブロック５０を参照。光ファイバー１６は複数の量子ドット１８を含む。次に光ファイバー１６を抜ける信号を検出することができる。ブロック５２を参照。硬化された複合材料に関連する方法の採用に加えて又は代えて、この方法の実施形態は、非硬化状態にある複合構造物１０に関連して採用されうる。図６のブロック６０に示したように、複数の量子ドット１８を含む光ファイバー１６は、非硬化状態にある複合構造物１０内に埋め込むことができる。光ファイバー１６が複合構造物１０内に埋め込まれると、複合構造物の硬化状態が達成されるまで、光ファイバーに対してその長さ方向に沿って伝搬する信号を提供することができる。ブロック６２を参照。光ファイバー１６を抜け出る信号は、複合構造物１０が硬化された状態になるまで検出可能である。ブロック６４を参照。
【００３８】
さらなる説明として、例えば図７のフロー図に示したように、複合構造物１０の健全性を監視するために方法を提供することができる。製造後、例えば硬化されたままの状態で、複合構造物１０の健全性が監視されている間、本発明の実施形態のシステム及び方法は、樹脂の硬化又はその他の凝固処理の前の製造段階で複合構造物の健全性を監視することができ、これによって、製造過程の監視を提供することができる。実際に、一実施形態のシステム及び方法は、プライ又はファイバートウの向きを監視するため、硬化又は凝固しなかった複合構造物を監視することができた。その際、図７の作業７０に示したように、複合材料及び複合材料内に配置された一又は複数の光ファイバー１６を含む複合構造物１０が提供されうる。光ファイバー１６は、光ファイバーの非線形光学特性を高める複数の量子ドット１８を含む。作業７２に示したように、例えば、信号が導入される第１端から対向する第２端へ向かうように、光ファイバー１６に対してその長さ方向に沿って伝播する信号を提供することができる。予期しなかった形態で光ファイバーに曲げを引き起こす欠陥、あるいは光ファイバー上に予期せぬ量の応力又は歪みを加える結果となる欠陥など、複合材料内の欠陥に応じて、作業７４に示したように複数の量子ドット１８によって、非線形効果を引き起こすことができる。二次高調波の発生などの二次効果の発生、三次高調波の発生などの三次効果の発生、又は複合材料中の欠陥に応じた同等の効果の発生などの種々の非線形効果が発生しうる。この方法は、作業７６に示したように光ファイバー１６を通る伝播後の非線形効果を含む信号も検出することができる。検出器３０又はこの検出器に関連して応答するコンピュータを用いるなど、非線形効果を含む信号を解析することによって、複合材料が光ファイバー１６を通って伝播する信号を変化させ、非線形効果を引き起こす欠陥を有する事例が特定されうる。作業７８を参照。検出されうる欠陥に関して、ファイバートウの経路内での偏り及び複合プライの位置又は経路の偏りは、本発明の一実施形態によって検出可能である。さらに、幾つかの実施形態では、ＴＤＲに基づくなどして、欠陥の位置も決定しうる。複合材料内の潜在的な欠陥の検出に基づいて、一実施形態の方法は潜在的欠陥のさらなる試験と解析、及び／又はその欠陥を修復するための複合材料に対する適切な修復を提供することができる。
【００３９】
その際、検出される信号及び関連する非線形効果は、検出器３０又は関連するコンピュータなどによって、欠陥を含んでいない複合材料の事例で、光ファイバー１６内の信号の伝播後に検出されることが予測される、信号及び関連する非線形効果と比較することができる。少なくとも所定の量又は割合だけ、信号及び／又は非線形効果が偏る事例では、この方法は、複合材料のより詳細な解析及び／又は修復が可能になるよう、又は目標を変更する必要があることをユーザーに通知するよう、複合材料内部の欠陥の可能性を特定することができる。
【００４０】
複数の量子ドット１８を含めて光ファイバー１６の非線形特性を増幅することによって、信号が光ファイバーを通って伝播する複合材料内の欠陥の影響もそれに応じて増幅される。その際、複合材料内の欠陥に応じて、複数の量子ドット１８によってもたらされる非線形効果は十分に再現性があり、検出器３０によって確実に特定できるだけの強度がある。したがって、一実施形態のシステム及び方法は、複合材料をさらに解析又は検査できるよう、及び／又は時宜を得た方法での複合材料の修復により集中できるよう、あるいは新しい知識に対応できるよう、複合材料内の欠陥の検出を容易にしうる。実際に、複合材料内の欠陥に応じて、複数の量子ドット１８によってもたらされる非線形効果を解析することによって、関連する非線形効果を考慮することなく、単純に光ファイバー１６内部の反射信号に基づく解析を損なう可能性がある、比較的低い信号雑音比の場合でも制限を受けることのない確実な方法で欠陥を特定することができる。
【００４１】
既に示したように、複合材料内に量子ドット１８を含む光ファイバーのアレイなどのように、複数の光ファイバー１６を埋め込むことによって、複合材料の健全性は監視しうる。光ファイバーのアレイを通って信号が伝播した後、検出器３０によって検出される信号及び関連する非線形効果は、例えば、ファイバートウ又は複合プライの位置での偏り及び、光学的時間領域反射率計を利用する幾つかの実施形態では、このような偏りの位置を示すことによって、複合材料の健全性の指標となる２次元（２Ｄ）又は３次元（３Ｄ）データなどの多次元データを提供することができる。一実施形態では、検出器３０はこの多次元データの視覚表現を表示するように構成されうる。例えば、製造される複合構造物１０のモデル上に多次元データの視覚表現を重ね合わせることによって、この方法は本発明の実施形態によるシステムで収集した多次元データに対する基準を提供することができる。
【００４２】
本明細書において説明した多数の修正例及び他の実施形態は、上述の説明及び添付図面に提示された教示の恩恵を有する、これらの実施形態が関連する分野の当業者であれば想起するであろう。したがって、実施形態は、開示された特定の実施形態に限定されるものではなく、修正例及び他の実施形態は特許請求の範囲に含まれる。さらに、上述の説明及び添付図面は、要素及び／又は機能の特定の例示的組み合わせの点から例示的実施形態を説明しているが、特許請求の範囲から逸脱せずに、別の実施形態によって要素及び／又は機能の異なる組み合わせを提供することができる。これに関して、例えば、要素及び／又は機能の、上述に明記したものとは異なる組み合わせも、特許請求の範囲の一部に提示されるように考慮される。本明細書では特定の用語を使用しているが、それらは、一般的及び説明的な意味でのみ使用されているのであって、限定を目的として使用されているのではない。
【符号の説明】
【００４３】
１０    複合構造物
１２    構造要素
１４    樹脂
１６    光ファイバー
１６ａ    コア
１６ｂ    金属被覆
１６ｃ    外表面
１８    量子ドット
２０    信号源
２２    波長選択デバイス
２４    偏光デバイス
２６    強度フィルタ
３０    検出器
３２    反射器
３４    ビームスプリッタ
３６    ブラッグ格子
【図１】
2014052368.tif 000003
【図２】
2014052368.tif 000004
【図３】
2014052368.tif 000005
【図４】
2014052368.tif 000006
【図５】
2014052368.tif 000007
【図６】
2014052368.tif 000008
【図７】
2014052368.tif 000009
【外国語明細書】
2014052368000001.pdf
2014052368000002.pdf
2014052368000003.pdf
2014052368000004.pdf